(57)【要約】【課題】  これまで就寝中排尿異常や尿漏につき、おむつや尿取パットで対応してきた。しかし紙おむつを使用しても男性器は移動するため、尿が自己の身体に付着するのをを防ぎ得ない。特に多量の排尿あれば、おむつ交換時溜まった尿の一部が漏れ出る恐れもある．これらはそのまま介護人の大きな負担となり、それが不定時に起こる。さらに高齢者や病人等立ち上がること自体に苦痛を感じる場合も多くおむつの着脱時立つ必要も多く、それが頻尿者も含め不眠や睡眠不足に繋がり健康上の問題ともなる。【解決手段】  本考案において、排尿を直接受け取る尿取カップとその尿を保管しておく尿取袋の両者を締付具で結合させた尿取袋付尿取カップを男性器に被せ、その着脱が迅速安全に行なえかつカップを保持するための専用腰ベルトつけたシステムで、尿は人体に触れない。さらにカップの尿取袋の尿保管量多く夜間数回排尿可能で、介護人は夜間一回定時の観察で済み、負担大きく軽減される【特許請求の範囲】
【請求項１】
直接尿が排出される尿取カップの尿出口先端から尿取袋を被せ、両者を締付リングで結合し、排出尿がただちに袋内に保管される尿取袋付尿取カップの方式
【請求項２】
尿取カップの形状（図２）  男性器入口部分は内側に曲げられ、底面は平面に近い円形で先細りになり、上部は膨らみ持たせ伏せた状態のまま排尿してもある程度尿取カップ内に保管可能となる
【請求項３】
専用ベルト使用による尿取袋付尿取カップを身体に取付保持取り外し作業の簡単化尿取袋付尿取カップを身体に取付後保持のため、腰に巻いた専用ベルトの左右前に取付けてあるゴムバンドを尿取カップの左右に付いてるカギに取り付ける。さらに専用ベルトの右横に付いてる紐の先端の反対の先を腰ベルトの真後近辺の穴にとうし、さらに股間中央近辺をとうして尿取カップの先端付近下部のカギに掛けて、尿取カップ先端が斜め下方向に継続される。
【発明の詳細な説明】
【技術分野】
【０００１】  本考案は排尿に異常ある人、特に就寝中排尿に問題有すことによる身体，衣類，寝具等の汚れを防止する技術である
【背景技術】
【０００２】  これまで就寝中排尿や尿漏れには、おむつ，紙おむつ，尿取パット及びこれらの併用で対処してきた
【先行技術文献】
【発明の概要】
【発明が解決しようとする課題】
【０００３】  就寝中の排尿や尿漏れにおむつ，紙おむつ，尿取パットガ併用されても、男性器は自由に動くため、排尿者の身体の一部が汚れるのを防ぎえない。多量の尿排出や覚醒しない尿漏れで、おむつ内に尿がだぶつき脱ぐ際漏れたりする。【０００４】  一人でおむつ交換する場合立ち上がる必要もあり、特に覚醒時高齢者や病人等が立ち上がること自体が困難で、さらにその時排尿感有ってもおむつ内に排尿し難くトイレや屎尿ビン使用し頻尿者も含め煩わしく不眠や睡眠不足の原因ともなり、それが血管系の病気につながり、特に冬季は布団内と外気の温度差による脳梗塞の大きな発症原因になる【０００５】  高齢者や病人等の介護人にとり毎晩の不定時間での作業は非常に大きな負担である。【０００６】  おむつ使用すれば日常的な洗濯欠かせず、紐おむつや尿取パットは使い捨てだが今日の省資源思考から問題がある。
【課題を解決するための手段】  尿取袋付尿取カップ【０００７】  本考案は排尿を直接受け取る尿取カップとその尿を直ぐに保管出来る尿取袋を結合させた尿取袋付尿取カップを身体に取付ける。従って尿が身体に触れることは一切ない。【０００８】  尿取袋付尿取カップの身体への取付けは立っても寝ても座っても行なえ、さらに専用腰ベルトと共に使用すれば、尿の逆流防止と共に  尿取袋付尿取カップの着脱作業を容易にする。【０００９】  尿取袋の大きさ替えることで保管できる尿量も増大し、一晩１回程度尿取袋付尿取カップの交換で済み、介護人は定時１回の介護で負担が大きく軽減する。【００１０】  使い捨て部分は尿取袋のみで、尿取カップは流水での簡単な洗いで済む。
【発明の効果】
【００１１】  睡眠中排出された尿は、尿取カップ図２を通り直ちに尿取袋内に溜められ、尿取袋付尿取カップは安全に取外され捨てられるので、排尿者や介護人の身体にかかることは全くない。【００１２】  尿取袋付尿取カップの取付や交換等は立つ必要無くその場に座ったまま行なえ、寝たきりや病人など片手さえ使用出来れば仰向けに寝たまま自分で行なうことも可能である。介護人等の負担大きく低下する。【００１３】  覚醒時排尿感在れば通常の行動では煩わしく、不眠や睡眠不足の原因になるが、尿取袋付尿取カップ図２使用すれば直接排尿できそのまま入眠し、睡眠が継続し易い。【００１４】  尿取袋内には多量の尿保管可能で、介護人は夜間定時に一回程度被介護人の観察で済み、本人や介護人の負担が大きく軽減される。【００１５】専用腰
本考案で使い捨て部分は薄いプラスティック製の尿取袋のみで、今日の省資源化思考に合致する。【００１６】  本考案を使用すれば、排尿のため布団外に出る必要はなく、寒暖差その大きな原因となる心筋梗塞，心不全，脳梗塞血管系の病気を予防し、更に尿の色や浮遊物等病気早期発見に役立つ。
【図１】
尿取具全体システム図  寝具上に座った状態図
【図２】
尿取カップ側面図  男性器に被せ直接排尿を受け止める
【図３】
尿取カップ正面図  男性器挿入口が正面
【図４】
専用腰ベルトは身体に取付た尿取カップを保持し尿出口を斜め下方に維持
【発明を実施するための形態】
【００１７】（準備段階）尿取カップ図２の尿出口１ｂ方向から尿取袋２を尿取カップ中心付近の切れ目１ｄの少し上まで被せ、その切れ目部分１ｄと尿取カップの尿出口付近の切れ目１ｃ二ケ所を尿取袋上から締付リング４と３で締め、尿取カップ図２と尿取袋２を結合すると同時に尿取袋内の尿が逆流し漏れ出るのを防ぐ。できた尿取袋付尿取カップ図２を二個以上作っておく本考案は仰向で寝るのが原則で有るが、就寝中伏せた状態で排尿した場合、ある程度尿取カップ内に保管でき、腰姿勢が仰向になれば直ちに尿取袋２に流出される。長時間伏せて寝る人の場合も仰向が原則なので、腰の回転が左右それぞれ９０°超えさせないため、ベッドの左手摺に紐６の末端６ａを結び、その先端のカギを専用腰ベルト５ｅに掛け、右も同様に処理し、左右腰の回転が９０°超えないよう紐の長さを決める。この調節作業は以降不要である。
【００１８】  （取付段階）専用腰ベルト図５を巻き、尿取袋付尿取カップ図２人口１ａから男性器に被せ、専用腰ベルト図５左右前から出ているゴムバンド５ａと５ｂを尿取カップ図２の左右突起物１ｆと１ｇに掛け尿取カップを保持する。更に専用腰ベルトの真後付近の締付リング３に引っ掛け、尿取袋付尿取カップを三点で保持する。この就寝前の取付により尿漏れや排尿に対処できて動く煩わしさをなくすことができ、更に寝具にはいればそのまま就寝でき取付作業は不要となる。
【００１９】  （就寝段階）前段階までに尿取袋付尿取カップ図２取り付けていなければ、寝具上に座ったまま上記方法で三点取付ける。睡眠中長時間ふせる恐れある人は、ベッド手すりから出ている紐６の先端のカギ６ａを５ｃに６ｂを５ｅにそれぞれ専用腰ベルト左右に引っかける。さらに仰向けで寝た時、尿取カップの先端が斜め下方向に向いていない場合は、その先端部に掛けられた紐を引いて斜め下方向へ向かせ固定さすため、紐を専用腰ベルトの右側の突起間５ｅと５ｆ間に巻きつけ最後に末端の輪ゴムを引っ掛け後入眠する。
【００２０】  （覚醒段階）尿取袋２内の尿量を目や手でチェックし、多量なら尿取袋付尿取カップ図２を取り外し保管器に入れ別のそれに付け替え、多量でなければそのまま入眠しうる。
【実施例】
【００２１】  起床後に尿取袋図２に溜まった尿をし尿便やトイレに捨て、尿取カップ図２は流水で簡単に洗い保管する。時間に余裕有るので、上述した方法で尿取袋付尿取カップ図２数個作っておいた。動く必要減ったので、尿取袋付尿取カップ図２を身体に取付けるための専用腰ベルト図５を腰に巻き、その左右前から出ているゴムバンド５ａと５ｂを尿取カップの突起１ｆと１ｇに掛け、更に、専用腰ベルト５の腰真後近辺の穴から出ている紐７を股間近くに通しその先端カギ７ａを尿取カップ出口付近の締付リング３に掛けておくことにより、睡眠までの尿漏れ、排尿に対処できる。【００２２】  眠くなりベッド上に仰向けで横たわり、尿取カップ１の尿排出口１ｂが斜め下方に向いていないことを手で確認したため紐７の末端の輪ゴム７ｂを専用腰ベルト５の突起５ｅと５ｆから外し、紐７引くことで尿排出口１ｂを斜め下方に向けた後入眠した。【００２３】  夜中覚醒したため上半身お越し目と手で尿取袋図２中の尿量チェックし、少ないのでそのまま入眠した。頻尿のため２時間後排尿感から覚醒したが、寝たまま尿取カップ２内に排尿後入眠した。
【符号の説明】
【００２４】１  尿取カップ図２    排尿を直接受け止める硬質プラスチックカップ
１ａ  男性器挿入口    尿取カップ入口
１ｂ  尿排出口        尿取カップから尿取袋へ尿素早く排流排出
１ｃ  ３の締付ケ所    尿取カップ出口付近の溝
１ｄ  ４の締付ケ所    尿取カップ中央付近の溝
１ｅ  男性器置き台
１ｆ  ゴムバンド取付突起物（左）  ５ａを掛けて１を保持
１ｇ  ゴムバンド取付突起物（右）  ５ｂを掛けて１を保持
２    尿取袋図２      尿取カップに直結され流入尿を安全、多量に保管
３    締付リング（小）１と２を結合させるネジ式加圧器、尿取袋からの逆流防ぐと共に                      紐７の先端カギ７ａを掛ける。
４    締付リング（大）１と２を結合させるネジ式加圧器。尿取袋からの逆流防ぐ
５    専用腰ベルト    １を身体に保持する詐欺用の簡略迅速化
５ａ    ゴムバンド（左前）１ｆにかけて５と１を結合し１を保持
５ｂ    ゴムバンド（右前）１ｇにかけて５と１を結合し１を保持
５ｃ  右腰２本の突起物  突起間紐７を巻きつけ末端ゴム賭固定し１先端が斜め下向きき                        に、更に紐６ｂ先端カギを受け止める
５ｄ  腰真後近辺穴      紐７通した専用腰ベルトの穴
５ｅ  突起物    ６ｂの紐の先端カギを受け止める
６ａ  ベッド手すりの紐（左）  先端が引掛カギ。腰左回転９０°超えない
６ｂ  ベッド手すりの紐（右）  先端が引掛カギ。腰右回転９０°超えない
７    調節紐            先端に７ａ末端に７ｂ。引くと１の尿出口が斜め下向に
７ａ  先端カギ          締付リング３に引掛ける
７ｂ  末端輪ゴム        専用腰ベルト５の突起物５ｃに掛け、１を斜め下方向に固定化
８    保管器（図なし）  尿取袋付尿取カップを保管